(57)【要約】【課題】小形でも、スピード感がある低音再生が可能なスピーカ装置を提供する。【解決手段】スピーカユニット２３の駆動部２５の背面側には、錘り４０が装着される。錘り４０は、腕４１がスピーカボックス２０の上部分３１と下部分３２とで挟まれて固定される。錘り４０は、たとえば亜鉛ダイキャスト製であり、前面ロード２２よりも大きな質量を有する。スピーカユニット２３は、スピーカボックス２０に支持される錘り４０の中心に挿通されるボルト４２で駆動部２５が支持される。スピーカユニット２３の振動板２４の周囲は、フェルトやゴムなどの緩衝材４３を介して、スピーカボックス２０の上部分３１に設けられる開口部４４周辺に押付けられる。【選択図】      図８
2005012568.tif 000002
【特許請求の範囲】
【請求項１】
振動板および駆動部を備え、振動板の背後に配置される駆動部で振動板を前後に往復振動させて音響再生を行うスピーカユニットと、
スピーカユニットの振動板の前面側に、振動板表面から、最大振幅時に接触しない程度の隙間をあけて配置され、振動板表面に臨む側の表面が、振動板の立体形状沿う形状を有し、振動板に付加される空気の質量に比較して大きい質量を有する前面ロードとを含むことを特徴とするスピーカ装置。
【請求項２】
振動板および駆動部を備え、振動板の背後に配置される駆動部で振動板を前後に往復振動させて音響再生を行い、該前後の方向が鉛直方向となるように設置されるスピーカユニットと、
スピーカユニットの振動板の前面側に、振動板表面から、最大振幅時に接触しない程度の隙間をあけて配置され、振動板表面に臨む側の表面が、振動板の立体形状沿う形状を有し、振動板に付加される空気の質量に比較して大きい質量を有する前面ロードと、
スピーカユニットの駆動部の背後に配置され、スピーカユニットに対して仮想的な接地となる質量を有し、駆動部を介してスピーカユニットを支持する錘りとを含むことを特徴とするスピーカ装置。
【請求項３】
前記前面ロードは、前記スピーカユニットの振動板表面に臨む側の表面が該振動板の凹凸を逆にした形状であり、
前面ロードと振動板とは、均一な隙間を保つことを特徴とする請求項１または２記載のスピーカ装置。
【請求項４】
前記前面ロードは、前記スピーカユニットの振動板に臨む側の表面が、中心部に比較して周辺部で前記隙間が拡大するような形状を有することを特徴とする請求項１または２記載のスピーカ装置。
【請求項５】
前記前面ロードと前記スピーカユニットとを、共通の軸線が鉛直方向となるように支持するスピーカボックスをさらに含むことを特徴とする請求項１〜４のいずれかに記載のスピーカ装置。
【請求項６】
振動板および駆動部を備え、振動板の背後に配置される駆動部で振動板を前後に往復振動させて音響再生を行い、該前後の方向が鉛直方向となるように設置されるスピーカユニットと、
スピーカユニットの駆動部の背後に配置され、スピーカユニットに対して仮想的な接地となる質量を有し、駆動部を介してスピーカユニットを支持する錘りと、
スピーカユニットおよび錘りを収容し、錘りを支持するスピーカボックスとを含むことを特徴とするスピーカ装置。
【請求項７】
前記スピーカボックスは、前記スピーカユニットの振動板の前面側に、振動板表面から、最大振幅時に接触しない程度の隙間をあけて配置され、振動板表面に臨む側の表面が、振動板の立体形状沿う形状を有し、振動板に付加される空気の質量に比較して大きい質量を有する前面ロードを、共通の軸線が鉛直方向となるように支持することを特徴とする請求項６記載のスピーカ装置。
【請求項８】
前記スピーカユニットは、低音域再生用スピーカであることを特徴とする請求項１〜７のいずれかに記載のスピーカ装置。
【発明の詳細な説明】
【０００１】
【発明の属する技術分野】
本発明は、オーディオ装置で音響再生する際に、特に低音域の再生に用いるスピーカ装置に関する。
【０００２】
【従来の技術】
従来から、スピーカ装置では、低音域の再生に対して種々の技術が開発されている（たとえば、非特許文献１参照）。低音域では、スピーカユニット単体での使用は、振動板の表裏両面から放射される逆位相の音が混じって干渉し、相互に打ち消し合って音圧が低下してしまう。スピーカの有効振動半径をａとすると、音波の波長λが２×π×ａとなる周波数が−３ｄＢ低下するカットオフ周波数となり、以下−６ｄＢ／ｏｃｔの割合で低下する。干渉による音圧低下は、振動板の背面側をエンクロージャで囲うことによって避けることができる。ただし、エンクロージャ内の空気がばねとして働き、振動板などの振動系の質量との間で共振し、共振周波数よりも低い周波数の再生は困難になる。低音を一定の音圧で再生するためには、有効振動半径ａが大きい方が一般に有利である。しかし、共振周波数が一定の条件でエンクロージャの内容積Ｖｃは、スピーカユニットの有効振動半径ａの４乗に比例するので、大口径の振動板を有するスピーカユニットを用いると、大きなエンクロージャを必要とする。
【０００３】
小口径のスピーカユニットを使用する場合は、エンクロージャを小形化することができる。しかしながら、大口径のスピーカと同程度の音圧を得るためには、振幅が大きくなる。スピーカユニットの振動板の振幅が大きくなると、スピーカユニットの他の部分にも振動が伝わり、さらにエンクロージャにも振動が伝わって、振動板以外の部分からも音の放射が行われやすくなる。本件出願人は、振動板以外の部分からの音の放射を防ぐため、エンクロージャとして使用する比較的小容積のスピーカボックスを前半と後半とに分割可能とし、前半部分に開口部を設けて、比較的小口径のスピーカユニットの音響放射部を緩衝材を介して接続し、スピーカユニットをスピーカボックス内部で支持するスピーカシステムを開示している（たとえば、特許文献１参照）。スピーカユニットは、スピーカボックスの前半と後半との接続部からスピーカボックス内部に先端が挿入されるスタンドで直接支持され、あるいは仮想的な接地として機能する錘りで支持され、スピーカユニットの駆動部などに生じる振動が、スピーカボックスには伝わりにくくされている。
【０００４】
【特許文献１】
特開２００１−２８５９７４号公報（図１）
【非特許文献１】
佐伯多門監修「新版スピーカー＆エンクロージャー百科」株式会社誠文堂新光社、１９９９年５月２８日、ｐ．７２−１２９
【０００５】
【発明が解決しようとする課題】
特許文献１で開示しているようなスピーカシステムは、低音域から高音域までのフルレンジでの再生を目的としているけれども、スタンドを使用する関係上、あまり大きくすることはできず、低音域の再生については限界がある。低音域の再生については、製品化されている、より大形のスピーカシステムでも充分ではなく、低音再生用のサブウーファを追加する３Ｄシステムや５．１チャネルシステムなども用いられている。これらのサブウーファは、低音では指向性が弱いので、多くの場合、１基だけ用いられる。
【０００６】
特許文献１で開示しているスピーカシステムでは、小形で高音質の再生を目標としているので、サブウーファを組合わせるにしても、あまり大形のスピーカシステムを用いることは好ましくない。振動板の口径を小さくし、質量を大きくすれば、比較的小さな容積のスピーカボックスと組合わせても、低音域の再生が可能となる。ただし、そのようなスピーカシステムから再生される低音域は、重くなりがちで、スピード感に欠けるものとなる。
【０００７】
本発明の目的は、小形でも、スピード感がある低音再生が可能なスピーカ装置を提供することである。
【０００８】
【課題を解決するための手段】
本発明は、振動板および駆動部を備え、振動板の背後に配置される駆動部で振動板を前後に往復振動させて音響再生を行うスピーカユニットと、
スピーカユニットの振動板の前面側に、振動板表面から、最大振幅時に接触しない程度の隙間をあけて配置され、振動板表面に臨む側の表面が、振動板の立体形状沿う形状を有し、振動板に付加される空気の質量に比較して大きい質量を有する前面ロードとを含むことを特徴とするスピーカ装置である。
【０００９】
本発明に従えば、スピーカユニットは、振動板と駆動部とを備え、振動板の背後に配置される駆動部で振動板を前後に往復振動させて音響再生を行う。振動板の前面側には、前面ロードが振動板表面から、最大振幅時に接触しない程度の隙間をあけて配置される。前面ロードは、振動板表面に臨む側の表面が、振動板の立体形状沿う形状を有し、振動板に付加される空気の質量に比較して大きい質量を有するので、振動板の振動に伴って振動板前面から空気に伝達される振動が前面ロードの表面で反射され、振動板に戻される。振動板にとっては、音の放射の媒質となる空気の抵抗が大きくなることに相当し、等価的に大きな質量が付加されて振動を行うことになる。振動板自体の質量を大きくしないでも、振動系としての質量が大きくなるので、低音域までの再生が可能となる。振動板自体の質量増加はないので、聴感上、スピード感がある低音再生が可能となる。
【００１０】
さらに本発明は、振動板および駆動部を備え、振動板の背後に配置される駆動部で振動板を前後に往復振動させて音響再生を行い、該前後の方向が鉛直方向となるように設置されるスピーカユニットと、
スピーカユニットの振動板の前面側に、振動板表面から、最大振幅時に接触しない程度の隙間をあけて配置され、振動板表面に臨む側の表面が、振動板の立体形状沿う形状を有し、振動板に付加される空気の質量に比較して大きい質量を有する前面ロードと、
スピーカユニットの駆動部の背後に配置され、スピーカユニットに対して仮想的な接地となる質量を有し、駆動部を介してスピーカユニットを支持する錘りとを含むことを特徴とするスピーカ装置である。
【００１１】
本発明に従えば、スピーカユニットは、振動板と駆動部とを備え、振動板の背後に配置される駆動部で振動板を前後に往復振動させて音響再生を行う。振動板の前面側には、前面ロードが振動板表面から、最大振幅時に接触しない程度の隙間をあけて配置される。前面ロードは、振動板表面に臨む側の表面が、振動板の立体形状沿う形状を有し、振動板に付加される空気の質量に比較して大きい質量を有するので、振動板の振動に伴って振動板前面から空気に伝達される振動が前面ロードの表面で反射され、振動板に戻される。振動板にとっては、音の放射の媒質となる空気の抵抗が大きくなることに相当し、等価的に大きな質量が付加されて振動を行うことになる。振動板自体の質量を大きくしないでも、振動系としての質量が大きくなるので、低音域までの再生が可能となる。振動板自体の質量増加はないので、聴感上、スピード感がある低音再生が可能となる。スピーカユニットの駆動部の背後には、スピーカユニットに対して仮想的な接地となる質量を有し、駆動部を介してスピーカユニットを支持する錘りが配置されるので、振動板が空気からの反力を受けても、錘りで吸収され、周囲への振動の伝達を低減し、周囲の振動で、音質を低下させないようにすることができる。
【００１２】
また本発明で、前記前面ロードは、前記スピーカユニットの振動板表面に臨む側の表面が該振動板の凹凸を逆にした形状であり、
前面ロードと振動板とは、均一な隙間を保つことを特徴とする。
【００１３】
本発明に従えば、前面ロードがスピーカユニットの振動板表面に臨む側の表面形状として、振動板の凹凸を逆にした形状を有して、前面ロードと振動板とは、均一な隙間を保つので、低音の大音量再生時に、振動板が大きな振幅で振動しても、振動板に全体的に均一な音響負荷をかけることができる。
【００１４】
また本発明で、前記前面ロードは、前記スピーカユニットの振動板に臨む側の表面が、中心部に比較して周辺部で前記隙間が拡大するような形状を有することを特徴とする。
【００１５】
本発明に従えば、前面ロードがスピーカユニットの振動板表面に臨む側の表面が、中心部に比較して周辺部で前記隙間が拡大するような形状を有するので、比較的強度がある振動板の中心部にかける負荷を大きくし、振動板の周辺へかける負荷を小さくすることができるとともに、振動板と前面ロードとの間の空気層の出入りを容易にすることができる。
【００１６】
また本発明で、前記前面ロードと前記スピーカユニットとを、共通の軸線が鉛直方向となるように支持するスピーカボックスをさらに含むことを特徴とする。
【００１７】
本発明に従えば、前面ロードとスピーカユニットとを、共通の軸線が鉛直方向となるように、スピーカボックスで支持するので、前面ロードやスピーカユニットの質量が大きくなっても、容易に支持することができる。スピーカユニットの背後に錘りを付加する場合であっても、鉛直軸線に沿って配置し、容易に支持を行うことができる。
【００１８】
さらに本発明は、振動板および駆動部を備え、振動板の背後に配置される駆動部で振動板を前後に往復振動させて音響再生を行い、該前後の方向が鉛直方向となるように設置されるスピーカユニットと、
スピーカユニットの駆動部の背後に配置され、スピーカユニットに対して仮想的な接地となる質量を有し、駆動部を介してスピーカユニットを支持する錘りと、
スピーカユニットおよび錘りを収容し、錘りを支持するスピーカボックスとを含むことを特徴とするスピーカ装置である。
【００１９】
本発明に従えば、スピーカボックス内に、スピーカユニットおよびその背後の錘りを、スピーカユニットで振動板の駆動を行う方向が鉛直方向となるように支持するので、低音再生用で、質量が大きいスピーカユニットや錘りでも、容易に支持することができる。低音域では再生音の指向性がなくなるので、スピーカユニットの向きを鉛直方向にしても、充分な音質で再生音を聴取することができる。
【００２０】
また本発明で、前記スピーカボックスは、前記スピーカユニットの振動板の前面側に、振動板表面から、最大振幅時に接触しない程度の隙間をあけて配置され、振動板表面に臨む側の表面が、振動板の立体形状沿う形状を有し、振動板に付加される空気の質量に比較して大きい質量を有する前面ロードを、共通の軸線が鉛直方向となるように支持することを特徴とする。
【００２１】
本発明に従えば、前面ロードとスピーカユニットとを、共通の軸線が鉛直方向となるように、スピーカボックスで支持するので、前面ロードやスピーカユニットの質量が大きくなっても、容易にバランスよく支持することができる。スピーカユニットの背後に錘りを付加する場合であっても、鉛直軸線に沿って配置し、容易にバランスよく支持を行うことができる。
【００２２】
また本発明で、前記スピーカユニットは、低音域再生用スピーカであることを特徴とする。
【００２３】
本発明に従えば、比較的小形でも、低音域で、スピーカユニットの口径以上の音圧やスピード感を得ることができる。
【００２４】
【発明の実施の形態】
図１は、本発明の実施の一形態であるスピーカ装置１の主要部分の概略的な構成を示す。スピーカ装置１は、前面ロード２とスピーカユニット３とを含む。スピーカユニット３は、振動板４および駆動部５を備える。駆動部５は、動電形であり、永久磁石を含む磁気回路６と、磁気回路６の磁気空隙内に挿入されるボイスコイル７とを有する。ボイスコイル７を音響信号によって電気的に駆動すると、磁気空隙でボイスコイル７に、スピーカユニット３の中心軸３ａ方向の機械的な往復振動が発生し、振動板４に伝達される。すなわち、振動板４の背後に配置される駆動部５で振動板４を前後に往復振動させて音響再生を行うことができる。スピーカユニット３の振動板４の前面側には、振動板４の表面から、最大振幅時に接触しない程度の隙間をあけて前面ロード２が配置される。前面ロード２の支持は、図示を省略しているスペーサなどで行うことができる。前面ロード２は、振動板４の表面に臨む側の表面が、振動板４の立体形状に沿う形状を有し、振動板４の振動に伴う音響インピーダンスとして周囲の空気から振動板４に付加される質量に比較して大きい質量、たとえば数ｋｇの質量を有する。
【００２５】
前面ロード２として、スピーカユニット３の振動板４表面に臨む側の表面を、振動板４の凹凸を逆にした形状とし、前面ロード２と振動板４とは均一な隙間を保つようにすることができる。前面ロード２と振動板４とは、均一な隙間を保つので、低音の大音量再生時に、振動板４が大きな振幅で振動しても、振動板４に全体的に均一な音響負荷をかけることができる。
【００２６】
図２は、前面ロード２をスピーカユニット３の振動板４の前方に配置する効果を示す。駆動電力が一定で周波数を変化させるときの再生音圧は、低音域ではほとんど影響が無く、中高音域では斜線を施して示すように、再生音圧が低下する。すなわち、一種のローパスフィルタとして、動作することが判る。聴感上は、スピーカユニット３の構造や口径以上の低音やスピード感を得ることができる。
【００２７】
前面ロード２は、振動板４の表面に臨む側の表面が、振動板４の立体形状沿う形状を有し、振動板４に付加される空気の質量に比較して大きい質量を有するので、振動板４の振動に伴って振動板４の前面から空気に伝達される振動が前面ロード２の表面で反射され、振動板４に戻されると考えられる。振動板４にとっては、音の放射の媒質となる空気の抵抗が大きくなることに相当し、等価的に大きな質量が付加されて振動を行うことになる。振動板４自体の質量を大きくしないでも、振動系としての質量が大きくなるので、低音域までの再生が可能とり、振動板４自体の質量増加はないので、聴感上、スピード感がある低音再生が可能となるものと推定される。
【００２８】
図３は、本発明の実施の他の形態であるスピーカ装置１１の主要部分の概略的な構成を示す。本実施の形態で、図１の実施の形態に対応する部分には同一の参照符を付し、重複する説明を省略する。本実施形態では、スピーカユニット３は、図１の実施形態と基本的に同一であるけれども、前面ロード１２が異なる。前面ロード１２は、スピーカユニット３の振動板４に臨む側の表面が、中心部に比較して周辺部で前記隙間が拡大するような形状を有する。すなわち、破線で示すような図１の前面ユニット２の形状に比較し、実線で示すように、前面ロード１２がスピーカユニット３の振動板４表面に臨む側の表面が、中心部に比較して周辺部で前記隙間が拡大するような形状となる。前面ロード１２をこのような形状とすることによって、比較的強度がある振動板４の中心部にかける負荷を大きくし、振動板４の周辺へかける負荷を小さくすることができるとともに、振動板４と前面ロード１２との間の空気層の出入りを容易にすることができる。
【００２９】
図１や図３の実施形態でのスピーカユニット３の中心軸３ａは図の上下方向に記載してあり、スピーカユニット３を縦置きで使用することを示しているけれども、中心軸３ａが左右方向となる横置きで使用してもよいことはもちろんである。
【００３０】
図４は、本発明の実施のさらに他の形態として、縦置き型のスピーカボックス２０を用いるスピーカ装置２１の全体的な外観構成を、前面ロード２２を取外した状態で示す。前面ロード２２は、たとえばアルミニウムダイキャスト製であり、数ｋｇの質量を有する。スピーカユニット２３は、口径がたとえば１６０ｍｍ程度である振動板２４が上側で、後述する駆動部２５が下側となるように、スピーカボックス２０の頂部に内側から支持される。前面ロード２２は、スピーカボックス２０の頂部から突出するボス２６にボルト２７などで固定することができる。ボス２６の高さは、スピーカ装置２１が定格最大入力で駆動されても、振動板２４が接触しない高さとする。ボスにスペーサなどを付加して前面ロード２５を取付けるようにすれば、振動板２４と前面ロード２２との間隙を調整することができる。
【００３１】
図５、図６および図７は、図４のスピーカ装置２１を正面側、右側面側および上面側から見た状態をそれぞれ示す。スピーカ装置２１は、駆動用のアンプを内蔵し、スピーカボックス２０は、上部分３１と下部分３２とに分割可能であり、さらに内部には、後述する内側部分３３が収納される。上部分３１、下部分３２および内側部分３３は、たとえばアルミニウムダイキャストや発泡ポリプロピレン成型などで製造することができる。スピーカボックス２０の底部には電源部３４が装着され、さらに背後側には後述するアンプ部３５が収納される。図４のスピーカユニット２３は、中心軸２３ａが鉛直方向となる姿勢で、スピーカボックス２０内に、上部分３１と下部分３２とを分割している状態で取付ける。
【００３２】
図８は、図４のスピーカ装置２１を側断面視した構成を示す。スピーカユニット２３の駆動部２５の背面側には、錘り４０が装着される。錘り４０には、たとえば４つの腕４１が横方向に伸びる形状に設けられ、スピーカボックス２０の上部分３１および下部分３２の頂面および底面にそれぞれ立設されるボスに挟まれて固定される。錘り４０は、たとえば亜鉛ダイキャスト製であり、前面ロード２２よりも大きな質量を有する。スピーカユニット２３は、スピーカボックス２０に支持される錘り４０の中心に挿通されるボルト４２で駆動部２５が支持される。スピーカユニット２３の振動板２４の周囲は、フェルトやゴムなどの緩衝材４３を介して、スピーカボックス２０の上部分３１に設けられる開口部４４周辺に押付けられる。スピーカボックス２０内には、スピーカユニット２３の装着後に、内側部分３３とアンプ部３５とが取付けられる。
【００３３】
図９は、図８の切断面線ＩＸ−ＩＸから見た構造を示す。図１０は、錘り４０の１つの腕４１についての支持構造を示す。スピーカボックス２０の下部分３２の底面から立設されるボス４６は、Ｘ字状の頂点位置に配置される。スピーカボックス２０の上部分３１の頂面から立設されるボス４７も対応する位置に配置される。腕４１の先端には、取付部５０が設けられ、取付部５０には、貫通孔５１が形成されている。スピーカボックス２０の下部分３２の底面から立設されるボス４６は、中空であり、ボルト５２を挿入可能である。ボルト５２のねじ部の径は、貫通孔５１の内径よりも小さくしておき、ボルト５２と取付部５１とが直接触れないようにしながら、ボルト５２の先端を、上部分３１の頂面から立設されるボス４７に形成するか、インサートするめねじに螺合させて、取付部５０を固定する。ボス４６およびボス４７の端面と取付部５０の表面との間には、フェルトやゴムなどを材料とする緩衝材５３を介在させる。
【００３４】
このようにして、前面ロード２２、スピーカユニット２３および錘り４０をスピーカボックス２０に収容するスピーカ装置２１が構成される。スピーカユニット２３は、振動板２４および駆動部２５を備え、振動板２４の背後に配置される駆動部２５で振動板２４を前後に往復振動させて音響再生を行い、中心軸２３ａ、すなわち前後の方向が鉛直方向となるように設置される。前面ロード２２は、スピーカユニット２３の振動板２４の前面側に、振動板２４の表面から、最大振幅時に接触しない程度の隙間をあけて配置され、振動板２４の表面に臨む側の表面が、振動板２４の立体形状沿う形状を有し、振動板２４に付加される空気の質量に比較して大きい質量を有する。錘り４０は、スピーカユニット２３の駆動部２５の背後に配置され、スピーカユニット２３に対して仮想的な接地となる質量を有し、駆動部２５を介してスピーカユニット２３を支持する。
【００３５】
前面ロード２２は、振動板２４の表面に臨む側の表面が、振動板２４の立体形状に沿う形状を有し、振動板２４に付加される空気の質量に比較して大きい質量を有するので、振動板２４の振動に伴って振動板２４前面から空気に伝達される振動が前面ロード２２の表面で反射され、振動板２４に戻される。振動板２４にとっては、音の放射の媒質となる空気の抵抗が大きくなることに相当し、等価的に大きな質量が付加されて振動を行うことになる。振動板２４自体の質量を大きくしないでも、振動系としての質量が大きくなるので、低音域までの再生が可能となる。振動板２４自体の質量増加はないので、聴感上、スピード感がある低音再生が可能となると推定される。スピーカユニット２３の駆動部２５の背後には、スピーカユニット２３に対して仮想的な接地となる質量を有し、駆動部２５を介してスピーカユニット２３を支持する錘り４０が配置されるので、振動板２４が空気からの反力を受けても、錘り４０で吸収され、周囲への振動の伝達を低減し、周囲の振動で、音質を低下させないようにすることができる。
【００３６】
図８に示すように、スピーカボックス２０は、内部に管５５を収納し、スピーカユニット２３の側方部分５６で連通し、底部に開口部５７が設けられるバスレフダクトを形成し、バスレフ形式のエンクロージャとして動作する。スピーカボックス内部には、吸音材５８などを挿入することもある。
【００３７】
なお、前面ロード２２とスピーカユニット２３とは、スピーカユニット２３を上向きとして、前面ロード２２をスピーカユニット２３よりも上に配置しているけれども、スピーカユニット２３を下向きに取付けて、前面ロード２２をスピーカユニット２３の下側に配置させることもできる。このように、スピーカユニット２３と前面ロード２２とは、共通の軸線が鉛直方向となるようにスピーカボックスで支持すればよい。前面ロード２２とスピーカユニット２３とを、共通の軸線が鉛直方向となるように、スピーカボックスで支持するので、前面ロード２２やスピーカユニット２３の質量が大きくなっても、容易にバランスよく支持することができる。スピーカユニット２３の背後に錘り４０を付加する場合であっても、鉛直軸線に沿って配置し、容易にバランスよく支持を行うことができる。
【００３８】
【発明の効果】
以上のように本発明によれば、スピーカユニットの振動板の前面側には、振動板に付加される空気の質量に比較して大きい質量を有する前面ロードを配置するので、振動板の振動に伴って振動板前面から空気に伝達される振動が前面ロードの表面で反射され、振動板に戻される。小形のスピーカ装置でも、聴感上、スピード感がある低音再生が可能となる。
【００３９】
さらに本発明によれば、スピーカユニットの振動板の前面側には前面ロードを配置し、スピーカユニットの駆動部の背面側には仮想的な接地となる錘りを配置する。前面ロードは、振動板表面に臨む側の表面が、振動板の立体形状沿う形状を有し、振動板に付加される空気の質量に比較して大きい質量を有するので、小形のスピーカ装置でも、聴感上、スピード感がある低音再生が可能となる。スピーカユニットの駆動部の背後には、駆動部を介してスピーカユニットを支持する錘りが配置されるので、振動板が空気からの反力を受けても、錘りで吸収され、周囲への振動の伝達を低減し、周囲の振動で、音質を低下させないようにすることができる。
【００４０】
また本発明によれば、前面ロードの振動板表面に臨む側の表面形状は、振動板の凹凸を逆にした形状であるので、振動板に均等な音圧をかけ、聴感上、構造や口径で期待される以上の音圧やスピード感を得ることができる。
【００４１】
また本発明によれば、前面ロードの振動板表面に臨む側の表面形状は、中心部に比較して周辺部で振動板表面との隙間が拡大するような形状を有するので、スムーズに振動板と前面ロードとの間の空気を抜くことができ、過渡応答性を向上させることができる。
【００４２】
また本発明によれば、前面ロードとスピーカユニットとを縦に配置して、低音域用で、前面ロードやスピーカユニットの質量が大きくなっても、容易に支持することができる。スピーカユニットの背後に錘りを付加する場合であっても、鉛直軸線に沿って配置し、低音域用に質量が大きい錘りでも、容易に支持することができる。
【００４３】
さらに本発明によれば、スピーカボックス内に、スピーカユニットおよびその背後の錘りを縦に配置し、低音再生用で、質量が大きいスピーカユニットや錘りでも、容易に支持することができる。低音域では再生音の指向性がなくなるので、スピーカユニットの向きを鉛直方向にしても、充分な音質で再生音を聴取することができる。
【００４４】
また本発明によれば、前面ロードとスピーカユニットとを縦に配置して、低音域用で、前面ロードやスピーカユニットの質量が大きくなっても、容易にバランスよく支持することができる。
【００４５】
また本発明によれば、低音域の再生で、聴感上、スピーカユニットの口径以上の音圧やスピード感を得ることができる。
【図面の簡単な説明】
【図１】本発明の実施の一形態であるスピーカ装置１の主要部分の概略的な構成を示す側断面図である。
【図２】図１のスピーカ装置１の概略的な出力音圧周波数特性を示すグラフである。
【図３】本発明の実施の他の形態であるスピーカ装置１１の主要部分の概略的な構成を示す側断面図である。
【図４】本発明の実施のさらに他の形態であるスピーカ装置２１で前面ロード２２を取外している状態の外観を示す斜視図である。
【図５】図４のスピーカ装置２１の正面図である。
【図６】図４のスピーカ装置２１の右側面図である。
【図７】図４のスピーカ装置２１の平面図である。
【図８】図４のスピーカ装置２１の右側面断面図である。
【図９】図８の切断面線ＩＸ−ＩＸから見た断面図である。
【図１０】図８の錘り４０の取付部分の構造を示す断面図である。
【符号の説明】
１，１１，２１  スピーカ装置
２，１２，２２  前面ロード
３，２３  スピーカユニット
３ａ，２３ａ  中心軸
４，２４  振動板
５，２５  駆動部
２０  スピーカボックス
２６，４６，４７  ボス
２７，４２，５２  ボルト
３１  上部分
３２  下部分
４０  錘り
４３，５３  緩衝材
５０  取付部
【図１】
2005012568.tif 000003
【図２】
2005012568.tif 000004
【図３】
2005012568.tif 000005
【図４】
2005012568.tif 000006
【図５】
2005012568.tif 000007
【図６】
2005012568.tif 000008
【図７】
2005012568.tif 000009
【図８】
2005012568.tif 000010
【図９】
2005012568.tif 000011
【図１０】
2005012568.tif 000012